(57)【要約】【課題】簡素な構成にて、吸気口からの電磁波の漏れを効果的に抑制することが可能な投写型表示装置を提供することを目的とする。【解決手段】プロジェクタは、本体キャビネット１０と、本体キャビネット１０に配され、電磁波を遮蔽するシールド板１３、１４と、本体キャビネット１０に設けられた吸気口１２７と、吸気口１２７から取り込まれた空気から不要物を除去するフィルタユニット９０とを備える。ここで、フィルタユニット９０は、金属製の第１フィルタ９１を含む。フィルタユニット９０が本体キャビネット１０に装着されると、金属製の第１フィルタ９１とシールド板１３、１４とが電気的に接続される。【選択図】図７
2011154165.tif 000002
【特許請求の範囲】
【請求項１】
投写型表示装置において、
本体キャビネットと、
前記本体キャビネットに配され、電磁波を遮蔽するシールド部材と、
前記本体キャビネットに設けられた吸気口と、
前記吸気口から取り込まれた空気から不要物を除去するフィルタ装置と、を備え、
前記フィルタ装置は、金属製のフィルタを含み、
前記フィルタ装置が前記本体キャビネットに装着されると前記金属製のフィルタと前記シールド部材とが電気的に接続される、
ことを特徴とする投写型表示装置。
【請求項２】
請求項１に記載の投写型表示装置において、
前記シールド部材に配されるとともに、前記フィルタ装置が前記本体キャビネットに装着されると前記金属製のフィルタと接触する接触部が設けられている、
ことを特徴とする投写型表示装置。
【請求項３】
請求項２に記載の投写型表示装置において、
前記シールド部材は、前記本体キャビネットの上面および底面にそれぞれ設けられる第１のシールド部材および第２のシールド部材を含み、
第１のシールド部材および第２のシールド部材に、それぞれ、前記接触部が設けられている、
ことを特徴とする投写型表示装置。
【請求項４】
請求項１ないし３の何れか一項に記載の投写型表示装置において、
前記フィルタ装置は、目の粗さが異なる複数のフィルタを含み、外側のフィルタほど目が粗くなっている、
ことを特徴とする投写型表示装置。
【請求項５】
請求項４に記載の投写型表示装置において、
前記複数のフィルタのうち、最も外側のフィルタを前記金属製のフィルタとした、
ことを特徴とする投写型表示装置。
【請求項６】
請求項１ないし５の何れか一項に記載の投写型表示装置において、
前記フィルタ装置は、空気の流れる方向に並べられた複数のフィルタを含み、
隣接する２つの前記フィルタの間に隙間が形成されている、
ことを特徴とする投写型表示装置。
【発明の詳細な説明】
【技術分野】
【０００１】
本発明は、光変調素子によって変調された光を被投写面に拡大投写する投写型表示装置に関する。
【背景技術】
【０００２】
投写型表示装置（以下、「プロジェクタ」という）では、液晶パネルなどの光変調素子よって変調された光が、投写レンズによって被投写面に投写される。かかるプロジェクタでは、電源ユニットや光源において発熱が生じる。このため、プロジェクタでは、内部で発生した熱を外部に放出するための構成が用いられる（たとえば、特許文献１参照）。本体キャビネットには、外部の空気を取り込むための吸気口と、内部の空気を排出するための排気口が設けられる。吸気口から取り込まれた空気は、発熱部品の周囲を通った後、排気口から排出される。これにより、本体キャビネット内部の熱が取り除かれる。
【０００３】
また、プロジェクタでは、本体キャビネットの内部で発生した電磁波を遮蔽するためのシールド部材が配される。内部で発生した電磁波は、上記吸気口や排気口から外部に放出され易い。このため、シールド部材は、吸気口や排気口にも配されるのが望ましい（たとえば、特許文献２参照）。
【先行技術文献】
【特許文献】
【０００４】
【特許文献１】特開２００５−１５６７４８号公報
【特許文献２】特開２００９−０５４６４３号公報
【発明の概要】
【発明が解決しようとする課題】
【０００５】
しかしながら、吸気口には、通常、取り込まれた空気から不要物を除去するためのフィルタ装置が装着される。このため、吸気口にシールド部材を簡単に配置することはできない。吸気口は、本来、空気を取り込むためのものである。このため、吸気口にシールド部材を配する場合には、空気の流れを阻害しないように、開口等の通風手段が形成される。しかし、このように開口が形成されると、開口から電磁波が外部に漏れ易くなり、シールド効果が低下する。
【０００６】
本発明は、かかる課題に鑑みてなされたものであり、簡素な構成にて、吸気口からの電磁波の漏れを効果的に抑制することが可能な投写型表示装置を提供することを目的とする。
【課題を解決するための手段】
【０００７】
本発明の投写型表示装置は、本体キャビネットと、前記本体キャビネットに配され、電磁波を遮蔽するシールド部材と、前記本体キャビネットに設けられた吸気口と、前記吸気口から取り込まれた空気から不要物を除去するフィルタ装置とを備える。ここで、前記フィルタ装置は、金属製のフィルタを含む。前記フィルタ装置が前記本体キャビネットに装着されると、前記金属製のフィルタと前記シールド部材とが電気的に接続される。たとえば、前記シールド部材に配されるとともに、前記フィルタ装置が前記本体キャビネットに装着されると前記金属製のフィルタと接触する接触部が設けられている。
【０００８】
本発明の投写型表示装置によれば、金属製のフィルタがシールド部材として機能するため、吸気口における電磁波のシールド効果を、極めて簡素な構成により実現することがで
きる。また、金属製のフィルタは、目が細かいため、シールド部材として共用されることにより、電磁波が漏れにくく、優れたシールド効果を発揮し得る。このように、本発明の投写型表示装置によれば、簡素な構成にて、吸気口からの電磁波の漏れを効果的に抑制することができる。
【０００９】
本発明に係る投写型表示装置において、前記シールド部材は、前記本体キャビネットの上面および底面にそれぞれ設けられる第１のシールド部材および第２のシールド部材を含み得る。この場合、第１のシールド部材および第２のシールド部材に、それぞれ、前記接触部が設けられる。
【００１０】
この構成によれば、本体キャビネットの内部が、上面および底面と、前記金属製のフィルタが配された側面とによって、シールド部材により囲まれるため、電磁波の漏れを一層効果的に抑制することができる。
【００１１】
本発明に係る投写型表示装置において、前記フィルタ装置は、目の粗さが異なる複数のフィルタを含み、外側のフィルタほど目が粗くなるような構成とされ得る。この場合、前記複数のフィルタのうち、最も外側のフィルタが前記金属製のフィルタとされ得る。
【００１２】
この構成によれば、複数のフィルタにより大きさの異なる不要物を段階的に除去することができる。また、最も外側のフィルタが前記金属製のフィルタとされると、金属製のフィルタを簡素なものにすることができ、金属製のフィルタを容易に形成することができる。
【００１３】
本発明の投写型表示装置において、前記フィルタ装置は、空気の流れる方向に並べられた複数のフィルタを含み、隣接する２つの前記フィルタの間に隙間が形成された構成とされ得る。
【００１４】
この構成によれば、隙間を空気が通り得るため、何れかのフィルタが部分的に目詰まりを起こしても、空気を次のフィルタへと円滑に導くことができる。
【発明の効果】
【００１５】
以上のとおり、本発明によれば、簡素な構成にて、吸気口からの電磁波の漏れを効果的に抑制することが可能な投写型表示装置を提供することができる。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係るプロジェクタの外観構成を示す斜視図である。
【図２】実施の形態に係るプロジェクタの内部構成を示す斜視図である。
【図３】実施の形態に係る光学エンジンおよび投写レンズユニットの構成を示す図である。
【図４】実施の形態に係る後面カバーが取り外された状態と、さらにフィルタユニットが取り外された状態とを示すプロジェクタの斜視図である。
【図５】実施の形態に係る上部キャビネットを裏側から見た斜視図である。
【図６】実施の形態に係るフィルタユニットの構成を示す図である。
【図７】実施の形態に係る吸気口部にフィルタユニットが装着された状態を示す要部の断面図である。
【発明を実施するための形態】
【００１８】
以下、図面を参照して、本発明の実施の形態について説明する。
【００１９】
図１は、プロジェクタの外観構成を示す斜視図である。図１（ａ）は、前方から見たプロジェクタの斜視図であり、図１（ｂ）は、後方から見たプロジェクタの斜視図である。
【００２０】
図１を参照して、プロジェクタは、本体キャビネット１０を備えている。本体キャビネット１０は、下部キャビネット１１と、下部キャビネット１１に上方から被せられる上部キャビネット１２により構成されている。
【００２１】
下部キャビネット１１は、上面が開放された底の浅い箱状に形成されている。下部キャビネット１１は、その前面１１Ｆが左右の側面１１Ｌ、１１Ｒおよび後面１１Ｂよりも高くなるように形成されている。左右の側面１１Ｌ、１１Ｒは、前端部分で緩やかに高くなり、前面１１Ｆにつながっている。
【００２２】
下部キャビネット１１の前面１１Ｆには、吸気口１１１が形成されている。吸気口１１１は、多数のスリット状の孔によって構成されている。また、下部キャビネット１１の前面１１Ｆには、出音口１１２が形成されている。出音口１１２からは、投写時に映像に対応する音声が出力される。
【００２３】
上部キャビネット１２は下面が開放された箱状に形成されている。上部キャビネット１２の前部は、左右全体に亘って緩やかに上方に反っており、その前面１２Ｆが、わずかに斜め上方を向いている。上部キャビネット１２の前面１２Ｆは、横方向から見て、緩やかに湾曲しているとともに、下部キャビネット１１の前面１１Ｆよりも斜め上方に突出している。
【００２４】
上部キャビネット１２の前面１２Ｆには、中央よりも左側面側に寄った位置に、四角形状の投写口１２１が形成されている。投写口１２１の奥には、投写レンズユニット３０の前端部分のレンズ３１１が収容される収容部１２２が形成されている。
【００２５】
上部キャビネット１２の上面１２Ｕには、インジケータ部１２３と操作部１２４が設けられている。インジケータ部１２３には、複数のＬＥＤが配されている。ユーザは、各ＬＥＤの点灯状態によって、プロジェクタが運転中であるかスタンバイ状態であるかを確認することができる。また、各種のエラー状態を確認することができる。操作部１２４には、複数の操作キーが配されている。
【００２６】
上部キャビネット１２の左側面１２Ｌには、ＡＶ端子部１２５が設けられており、各種ＡＶ端子が外部に臨んでいる。ＡＶ端子部１２５を通じて、プロジェクタにＡＶ（Audio Visual）信号が入出力される。
【００２７】
上部キャビネット１２の後面１２Ｂは、着脱可能な後面カバー１２６によって構成されている。後面カバー１２６には、吸気口１２７が設けられている。吸気口１２７は、多数のスリット状の孔によって構成されている。また、上部キャビネット１２の右側面１２Ｒには、排気口１２８が設けられている。排気口１２８は、多数のスリット状の孔によって構成されている。吸気口１２７や下部キャビネット１１の吸気口１１１から本体キャビネット１０内に取り込まれた外気は、液晶パネルや光源ランプなど、本体キャビネット１０内の発熱部品を冷却した後に排気口１２８から排出される。
【００２８】
図２は、プロジェクタ内部構成を示す斜視図である。
【００２９】
図２に示すように、下部キャビネット１１には、光学エンジン２０、投写レンズユニット３０、メイン電源ユニット４０、サブ電源ユニット５０、冷却ユニット６０、スピーカー７０および排気ファンユニット８０が配されている。なお、下部キャビネット１１には、この他、制御回路ユニットが配されているが、同図では、図示省略されている。
【００３０】
光学エンジン２０は、光源ランプを有する光源部２１と、光源部２１からの光を変調して映像光を生成する光学系２２とを備えており、下部キャビネット１１の中央よりやや後ろ側に配されている。投写レンズユニット３０は、光学エンジン２０の光学系２２の前方であって、下部キャビネット１１の中央よりやや左側面寄りに配されている。投写レンズユニット３０は、レンズホルダ３１を介して下部キャビネット１１に固定されている。
【００３１】
図３は、光学エンジン２０および投写レンズユニット３０の構成を示す図である。
【００３２】
光源ランプ２０１から出射された白色光は、コンデンサレンズ２０２、フライアイインテグレータ２０３、ＰＢＳアレイ２０４を通過する。フライアイインテグレータ２０３は、液晶パネル（後述する）に照射される各色光の光量分布を均一化させ、ＰＢＳアレイ２０４は、ダイクロイックミラー２０６に向かう光の偏光方向を一方向に揃える。
【００３３】
ＰＢＳアレイ２０４を通過した光は、コンデンサレンズ２０５を通過してダイクロイックミラー２０６に入射する。
【００３４】
ダイクロイックミラー２０６は、入射した光のうち、青色波長帯の光（以下、「Ｂ光」という）のみを反射し、緑色波長帯の光（以下、「Ｇ光」という）と赤色波長帯の光（以下、「Ｒ光」という）を透過する。
【００３５】
ダイクロイックミラー２０６により反射されたＢ光は、コンデンサレンズ２０５、２０７によるレンズ作用と反射ミラー２０８による反射によって、適正な照射状態にて青色用の液晶パネル２０９に照射される。液晶パネル２０９は、青色用の映像信号に応じて駆動され、その駆動状態に応じてＢ光を変調する。なお、液晶パネル２０９の入射側には１枚の入射側偏光板２１０が配されており、入射側偏光板２１０を介して液晶パネル２０９にＢ光が照射される。また、液晶パネル２０９の出射側には２枚の出射側偏光板２１１が配されており、液晶パネル２０９から出射されたＢ光が出射側偏光板２１１に入射する。
【００３６】
ダイクロイックミラー２０６を透過したＧ光およびＲ光は、ダイクロイックミラー２１２に入射する。ダイクロイックミラー２１２は、Ｇ光を反射するとともにＲ光を透過する。
【００３７】
ダイクロイックミラー２１２により反射されたＧ光は、コンデンサレンズ２０５、２１３によるレンズ作用によって、適正な照射状態にて緑色用の液晶パネル２１４に照射される。液晶パネル２１４は、緑色用の映像信号に応じて駆動され、その駆動状態に応じてＧ光を変調する。なお、液晶パネル２１４の入射側には１枚の入射側偏光板２１５が配されており、入射側偏光板２１５を介して液晶パネル２１４にＧ光が照射される。また、液晶パネル２１４の出射側には２枚の出射側偏光板２１６が配されており、液晶パネル２１４から出射されたＧ光が出射側偏光板２１６に入射する。
【００３８】
ダイクロイックミラー２１２を透過したＲ光は、コンデンサレンズ２０５、２１７およびリレーレンズ２１８、２１９によるレンズ作用と反射ミラー２２０、２２１による反射によって、適正な照射状態にて赤色用の液晶パネル２２２に照射される。液晶パネル２２２は、赤色用の映像信号に応じて駆動され、その駆動状態に応じてＲ光を変調する。なお、液晶パネル２２２の入射側には１枚の入射側偏光板２２３が配されており、入射側偏光
板２２３を介して液晶パネル２２２にＲ光が照射される。また、液晶パネル２２２の出射側には１枚の出射側偏光板２２４が配されており、液晶パネル２２２から出射されたＲ光が出射側偏光板２２４に入射する。
【００３９】
液晶パネル２０９、２１４、２２２によって変調されたＢ光、Ｇ光、Ｒ光は、出射側偏光板２１１、２１６、２２４を通過してダイクロイックプリズム２２５に入射する。ダイクロイックプリズム２２５は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム２２５から投写レンズユニット３に向けて出射される。
【００４０】
投写レンズユニット３０は、複数のレンズを備えており、入射した映像光を拡大してスクリーンに投写する。投写レンズユニット３０は、短焦点タイプのレンズであり、前端部に大きなレンズ３１１を有する。映像光は、レンズ３１１からやや斜め上方に向けて出射される。
【００４１】
また、投写レンズユニット３０には、フォーカスリング３１２が設けられている。フォーカスリング３１２には、フォーカスレバー３１３が形成されている。フォーカスレバー３１３が操作されると、フォーカスリング３１２が回動し、これに伴って、投写レンズユニット３０内部のフォーカスレンズ（図示せず）が移動する。こうして、フォーカスレバー３１３が操作されることにより、投写画像のフォーカスが調整される。
【００４２】
図２に戻り、投写レンズユニット３０の右方には、メイン電源ユニット４０が配されており、左方には、サブ電源ユニット５０が配されている。メイン電源ユニット４０は、ハウジング４０１内に電源回路を備えており、プロジェクタの各電装部品に電源の供給を行う。ハウジング４０１には、投写レンズユニット３０側の側面に、多数の孔からなる通気口４０２が形成されている。また、反対側の側面にも図示しない通気口が形成されている。
【００４３】
サブ電源ユニット５０は、ノイズフィルタや平滑回路などを備えており、入力された商用交流電源からノイズを除去してメイン電源ユニット４０に供給する。
【００４４】
光学エンジン２０の後方には、冷却ユニット６０が配されている。冷却ユニット６０は吸気ファン（図示せず）を備えている。下部キャビネット１１の後端部には、冷却ユニット６０の吸気口部６０１が配されている。冷却ユニット６０は、吸気口部６０１により本体キャビネット１０の後方から取り込んだ外気を、液晶パネル２０９、２１４、２２２など、光学エンジン２０の主要な発熱部品に供給して、これら発熱部品を冷却する。
【００４５】
メイン電源ユニット４０の前方には、スピーカー７０が配されている。スピーカー７０から出力された音声は、出音口１１２より外部に放出される。
【００４６】
メイン電源ユニット４０の右方であって、下部キャビネット１１の右側端部には、排気ファンユニット８０が配されている。排気ファンユニット８０は、第１排気ファン８０１と、第２排気ファン８０２と、これらの排気ファン８０１、８０２を下部キャビネット１１に固定するためのファンホルダ８０３とにより構成されている。
【００４７】
第１排気ファン８０１は、その吸気面が、本体キャビネット１０の左側面よりもやや斜め後方に向いている。第１排気ファン８０１は、光学エンジン２０内の発熱部品（液晶パネル２０９、２１４、２２２や光源ランプ２０１）を冷却することにより温まった空気を外部に排出する。また、吸気口１１１から取り込まれ、投写レンズユニット３０を冷却す
ることにより温まった空気を外部に排出する。
【００４８】
第２排気ファン８０２は、その吸気面が、メイン電源ユニット４０に向いている。第２排気ファン８０２は、メイン電源ユニット４０を冷却することにより温まった空気を外部に排出する。
【００４９】
図４（ａ）は、後面カバー１２６が取り外された状態を示すプロジェクタの斜視図である。
【００５０】
図４（ａ）に示すように、冷却ユニット６０の吸気口部６０１には、着脱可能なフィルタユニット９０が配される。フィルタユニット９０は、後述するように、目の粗さが異なる３つのフィルタを有し、吸気口１２７から取り込まれる外気中の塵や埃を、その大きさに応じて、それぞれのフィルタにて段階的に除去する。
【００５１】
図４（ｂ）は、後面カバー１２６およびフィルタユニット９０が取り外された状態を示すプロジェクタの斜視図である。
【００５２】
図４（ｂ）に示すように、吸気口部６０１は、フィルタユニット９０を収容する収容部６０２を有している。収容部６０２の後壁には、冷却ユニット６０内部につながる吸気口６０３が形成されている。吸気口６０３には、格子部６０３ａが形成されている。フィルタユニット９０によって埃等が除去された外気は、吸気口６０３から冷却ユニット６０の内部へ取り込まれる。
【００５３】
図５は、上部キャビネット１２を裏側から見た斜視図である。
【００５４】
図５に示すように、上部キャビネット１２の上面１２Ｕの裏側には、金属製のシールド板１３が装着されている。シールド板１３は、商用電源の電源コードに含まれるアース線に接続されている。電源コードが商用電源に接続されると、シールド板１３がアース線を介して接地される。シールド板１３は、本体キャビネット１０内の電子部品から発生し、外部へ漏れようとする電磁波を遮蔽する。また、外部からの電磁波が本体キャビネット１０へ侵入するのを遮蔽する。
【００５５】
シールド板１３の後端部には、断面台形状の２つの突出部１３１が形成されている。図４（ｂ）に示すように、上部キャビネット１２と下部キャビネット１１とが組み立てられた状態において、２つの突出部１３１は、収容部６０２内に臨んでいる（図７参照）。
【００５６】
また、下部キャビネット１１の内底面にも、上部キャビネットと同様に、シールド板１４（図７参照）が装着されている。シールド板１４も、商用電源の電源コードに含まれるアース線に接続されており、本体キャビネット１０内から外部へ漏れようとする電磁波や外部から本体キャビネット１０内へ侵入しようとする電磁波を遮蔽する。シールド板１４の後端部にも、断面台形上の２つの突出部１４１が形成されており、図４（ｂ）に示すように、これら接続部１４１も収容部６０２内に臨んでいる。
【００５７】
図６は、フィルタユニット９０の構成を示す図である。図６（ａ）は、フィルタの分解斜視図であり、図６（ｂ）は、第１フィルタ９１とフィルタケース９２とが一体化された状態を示す斜視図である。なお、図６（ａ）には、第１フィルタ９１のパンチ孔９１１ａが一部のみ描かれており、図６（ｂ）では、パンチ孔９１１ａが図示省略されている。
【００５８】
図６を参照して、フィルタユニット９０は、第１フィルタ９１と、フィルタケース９２と、第２フィルタ９３と、第１支持部材９４と、第３フィルタ９５と、第２支持部材９６
とによって構成されている。
【００５９】
第１フィルタ９１は、鉄板など金属製の板を加工することにより作られており、長方形状の前面板９１１と、前面板９１１の上端および下端から、それぞれ後方へ延びる上面板９１２および下面板９１３とによって構成されている。
【００６０】
前面板９１１には、ほぼ全面に亘って小さなパンチ孔９１１ａが多数形成されている。たとえば、パンチ孔９１１ａの大きさは、１ｍｍないし２ｍｍ程度とされている。また、上面板９１２および下面板９１３の後端には、それぞれ、６つの差込部９１４が形成されている。第１フィルタ９１は、３つのフィルタの中で最も目が粗くなるよう構成されている。
【００６１】
フィルタケース９２は、前面および後面が開口する長方形状の容器であり、前面側の開口には、縦方向に延びる複数のリブ９２１が格子状に形成されている。各リブ９２１は、上端部と中央部との間が後方から切り欠かれており、中央部と下端部との間も後方から切り欠かれている。即ち、各リブ９２１は、Ｅ字形状を有している。
【００６２】
フィルタケース９２の上面および下面には、それぞれ、第１フィルタ９１の差込部９１４が差し込まれる６つのスリット孔９２２が形成されている。また、フィルタケース９２の上面および下面には、それぞれ、３つの第１係合孔９２３および３つの第２係合孔９２４が形成されている。さらに、フィルタケース９２の前面には、左右両端部に持ち手部９２５が形成されている。ユーザは、フィルタユニット９２を収容部６０１に装着する際、持ち手部９２５を持つ。なお、図６（ａ）には、フィルタケース９２の上面側のスリット孔９２２、第１係合孔９２３および第２係合孔９２４のみが図示されている。
【００６３】
図６（ｂ）に示すように、第１フィルタ９１はフィルタケース９２の前面に固定される。これにより、第１フィルタ９１とフィルタケース９２とが一体化される。この際、第１フィルタ９１の差込部９１４がフィルタケース９２のスリット孔９２２に差し込まれ、前方へ折り折り返される。こうして、第１フィルタ９１が固定されたフィルタケース９２内に、後方から第２フィルタ９３、第１支持部材９４、第３フィルタ９５および第２支持部材が収容される。
【００６４】
第２フィルタ９３および第３フィルタ９５は、ともに長方形状を有するウレタン製のフィルタである。第２フィルタ９３は、第１フィルタ９１よりも目が細かくされており、第３フィルタ９５は、第２フィルタ９３よりも目が細かくされている。
【００６５】
第１支持部材９４は、一定間隔で配列された、縦方向に延びる複数のリブ９４１を、上面板９４２と下面板９４３とで連結した梯子形状を有する。各リブ９４１は、上端部と中央部との間が後方から切り欠かれており、中央部と下端部との間も後方から切り欠かれている。即ち、各リブ９４１は、Ｅ字形状を有している。上面板９４２および下面板９４３には、それぞれ、３つの爪部９４４が形成されている。第１支持部材９４がフィルタケース９２に収容されると、各爪部９４４が対応する第１係合孔９２３に係合する。これにより、第１支持部材９４がフィルタケース９２内に保持される。
【００６６】
第２支持部材９６は、第１支持部材９４と同じ形状であり、一定間隔で配列された、縦方向に延びる複数のリブ９６１を、上面板９６２と下面板９６３とで連結した梯子形状を有する。各リブ９６１も、リブ９４１と同様、Ｅ字形状を有している。上面板９６２および下面板９６３にも、それぞれ、３つの爪部９６４が形成されている。第２支持部材９６がフィルタケース９２に収容されると、各爪部９６４が対応する第２係合孔９２４に係合する。これにより、第２支持部材９６がフィルタケース９２内に保持される。
【００６７】
図７は、吸気口部６０１にフィルタユニット９０が装着された状態を示す要部の断面図である。
【００６８】
第２フィルタ９３は、フィルタケース９２の各リブ９２１の後端と第１支持部材９４１の前端とで挟まれることにより、フィルタケース９２内に保持されている。第２フィルタ９３は、破線で示すように、リブ９２１とリブ９４１との間隔よりも大きな厚みを有するが、これらリブ９２１、９４１に対応する部分は、これらリブ９２１、９４１によって押しつつぶされる。
【００６９】
第３フィルタ９５は、第１支持部材９４の各リブ９４１の後端と第２支持部材９６１の前端とで挟まれることにより、フィルタケース９２内に保持されている。第３フィルタ９４は、破線で示すように、リブ９４１とリブ９６１との間隔よりも大きな厚みを有するが、これらリブ９４１、９６１に対応する部分は、これらリブ９４１、９６１によって押しつつぶされる。
【００７０】
冷却ユニット６０内の吸気ファンが駆動されると、吸気口部６０１に外気が取り込まれる。取り込まれた外気は、まず、第１フィルタ９１を通過する。外気中に含まれる第１フィルタ９１の目（パンチ孔９１１ａ）より大きな埃等は、ここで除去される。第１フィルタ９１を通過した外気は、第２フィルタ９３、第２フィルタ９５を順次通過し、これらフィルタ９３、９５の目より大きな埃等が、これらフィルタ９３、９５により除去される。こうして、３つのフィルタ９１、９３、９５により埃等が除去された外気は、吸気口６０３から冷却ユニット６０内に取り込まれる。
【００７１】
ここで、第１フィルタ９１と第２フィルタ９３の間には、フィルタケース９２の各リブ９２１によって、ある程度の隙間Ｓ１が確保されている。また、第２フィルタ９３と第３フィルタ９５の間には、第１支持部材９４の各リブ９４１によって、ある程度の隙間Ｓ２が確保されている。
【００７２】
前段のフィルタと後段のフィルタが密着している場合、前段のフィルタが部分的に目詰まりを起こすと、目詰まりを起こした部分の真後ろとなる後段のフィルタの部分には空気が流れず、目詰まりを起こしていなくても、その部分では埃等が除去できない。
【００７３】
本実施の形態では、各フィルタ９１、９３、９５の間に、隙間Ｓ１、Ｓ２が形成されているため、前段のフィルタの一部が目詰まりを起こしても、目詰まりした部分の真後ろとなる後段のフィルタの部分にも十分に空気が流れ、その部分で埃等の除去を行うことができる。よって、後段のフィルタを十分に機能させることができる。
【００７４】
また、各リブ９２１、９４１には切り欠きが設けられ、これにより、第２フィルタ９３および第３フィルタ９５の前面へのリブ９２１、９４１の接触部分が少なくなるようにされている。これにより、リブ９２１、９４１で覆われることによって機能できなくなるフィルタ部分を少なくでき、第２フィルタ９３、第３フィルタ９５の機能低下を抑制することができる。
【００７５】
さて、吸気口部６０１にフィルタユニット９０が装着されると、第１フィルタ９１の上面板９１２が、シールド板１３の２つの突出部１３１に接触する。また、下面板９１３が、シールド板１４の２つの突出部１４１に接触する。これにより、第１フィルタ９１が、シールド板１３、１４と電気的に接続され、シールド板１３、１４を介して接地される。よって、本体キャビネット１０後面側（吸気口１２７の領域）を通じて外部へ漏れようとする、あるいは外部から侵入しようとする電磁波が、第１フィルタ９１により遮蔽される
。
【００７６】
以上、本実施の形態によれば、第１フィルタ９１を、金属製のフィルタとするとともに、本体キャビネット１０内の他のシールド部材（シールド板１３、１４）に接触させるようにしたので、吸気口部６０１に、別途、シールド部材を配することなく、本体キャビネット１０の後面側を通じて漏出または侵入しようとする電磁波を遮蔽することができる。よって、ＥＭＣ（Electro-Magnetic Compatibility）の対策のために費やすコストの削減や部品点数の削減を図ることができる。
【００７７】
また、第１フィルタ９１は、大きな埃等を除去するための目の細かさを持っている。よって、第１フィルタ９１を大きな埃の除去とともにシールド部材として共用することにより、簡易な構成にて高いシールド効果を得ることができる。
【００７８】
また、本実施の形態では、外側ほど目の粗い複数のフィルタによりフィルタユニット９０を構成するとともに、最も外側に配される第１フィルタ９１を金属製のフィルタとしている。このため、フィルタの目をあまり細かくしなくてよく、フィルタ面に多数の孔（パンチ孔）を形成する構成など、金属製の第１フィルタ９１を簡素な構成により実現することができる。よって、製造コストの低減を図ることができる。
【００７９】
以上、本実施の形態について説明したが、本発明は上記実施の形態に何ら制限されるものではなく、また、本発明の実施形態も、上記実施の形態に以外に、種々の変更が可能である。
【００８０】
たとえば、上記実施の形態では、フィルタユニット９０が、金属製のフィルタ（第１フィルタ９１）と他の２つのフィルタ（第２フィルタ９３および第３フィルタ９５）とにより構成されている。しかしこれに限らず、フィルタユニット９０が金属製のフィルタと他の１つのフィルタとにより構成されてもよく、また、金属製のフィルタと他の３つ以上のフィルタとにより構成されてもよい。
【００８１】
また、上記実施の形態では、第１フィルタ９１が本体キャビネット１０の上面側のシールド板１３と底面側のシールド板１４の双方に接触するよう構成されているが、どちらか一方のみに接触するような構成とされてもよい。ただし、上記実施の形態のように、第１フィルタを双方のシールド板１３、１４に接触させれば、より強固に電磁波を遮蔽することができる。また、本体キャビネット１０の上面側あるいは下面側以外にシールド部材が配されている場合には、このシールド部材に第１フィルタ９１が接触するような構成とされてもよい。
【００８２】
さらに、上記実施の形態では、前面板９１１に多数のパンチ孔９１１ａを形成することにより第１フィルタ９１のフィルタ面が構成されている。しかし、金属製のフィルタの構成については、上記構成に限られない。たとえば、第１フィルタ９１を、フィルタ面が金網により構成された金属製のフィルタとすることもできる。また、他のフィルタ（第２フィルタ９３や第３フィルタ９５）も、ウレタン製のフィルタに限られるもではなく、たとえば、不織布からなるフィルタであってもよい。
【００８３】
また、上記実施の形態では、本体キャビネット１０の後面側に、吸気口１２７とそれに対応するフィルタユニット９０が配されているが、これに限らず、たとえば、本体キャビネット１０の左右どちらかの側面に吸気口１２７およびフィルタユニット９０が配されもよい。
【００８４】
さらに、上記実施の形態では、シールド板１３、１４に２つの突出部１３１、１４１が
設けられているが、突出部１３１、１４１の数は２つに限られない。第１フィルタ９１がシールド板１３、１４に適正に接触されるのであれば、突出部１３１、１４１は１つでもよい。ただし、より十分に第１フィルタ９１をシールド板１３、１４に接触させるためには、突出部１３１、１４１が複数個設けられることが望ましい。
【００８５】
この他、本発明の実施の形態は、特許請求の範囲に示された技術的思想の範囲内において、適宜、種々の変更が可能である。
【符号の説明】
【００８６】
１０  本体キャビネット
１２７  吸気口
１３  シールド板（シールド部材、第１のシールド部材）
１３１  突出部（接触部）
１４  シールド板（シールド部材、第２のシールド部材）
１４１  突出部（接触部）
９０  フィルタユニット（フィルタ装置）
９１  第１フィルタ（金属製のフィルタ）
９３  第２フィルタ
９５  第３フィルタ
【図１】
2011154165.tif 000003
【図２】
2011154165.tif 000004
【図３】
2011154165.tif 000005
【図４】
2011154165.tif 000006
【図５】
2011154165.tif 000007
【図６】
2011154165.tif 000008
【図７】
2011154165.tif 000009